(57)【要約】【課題】  施工能率が高く、さらに耐震性のよいあと施工アンカーを提供する。【解決手段】  本あと施工アンカー１は、天井壁に挿通されて所定位置に設定されるアンカーであって、アンカー本体５と、アンカー本体５の先端部に例えば重力により一方向に回動する力が付勢された状態で取り付けられた回動部材２と、アンカー本体５が所定位置に設定されるまでは回動部材２の回動を抑制し、所定位置に設定されるとこの抑制を解除するとともに、アンカーを天井壁Ａに弾性的に固定するコイルバネ８とを備えたものである。【選択図】        図１
2005273741.tif 000002
【特許請求の範囲】
【請求項１】
構造壁に挿通されて所定位置に設定されるあと施工アンカーであって、
アンカー本体と、
アンカー本体の先端部に一方向に回動する力が付勢された状態で取り付けられた回動部材と、
アンカー本体の先端部が所定位置に設定されるまでは回動部材の回動を抑制し、アンカー本体の先端部が所定位置に設定されるとこの抑制を解除する回動抑制手段とを備えたことを特徴とするあと施工アンカー。
【請求項２】
回動部材は、アンカー本体の先端部に重心をずらして軸支されることにより、一方向の回動力を付与されたことを特徴とする請求項１記載のあと施工アンカー。
【請求項３】
アンカー本体の先端部にコイルバネが嵌挿されるとともに、アンカー本体にこのコイルバネの基端側を受けるバネ受け部が設けられて回動抑制手段が構成され、回動部材の一端が上記コイルバネに保持されることによって回動部材の回動が抑制され、コイルバネの先端側が構造壁に当接してコイルバネが縮小することにより回動部材の抑制が解かれるように構成されたことを特徴とする請求項１又は２記載のあと施工アンカー。
【請求項４】
コイルバネは、先端側の径が構造壁の挿通孔よりも大径となるように先端部が先広がりのテーパ状に形成されたことを特徴とする請求項３記載のあと施工アンカー。
【請求項５】
コイルバネの先端に、構造壁の挿通孔よりも大径のワッシャが設けられたことを特徴とする請求項３記載のあと施工アンカー。
【発明の詳細な説明】
【技術分野】
【０００１】
本発明はコンクリート壁（天井壁、側壁、床壁その他）等の構造壁に設定されて各種設備を取り付けるあと施工アンカーに関するものであって、特にスパンクリート（商品名）への施工に好適である。
【背景技術】
【０００２】
コンクリート建築物の天井壁に天井材を取り付けるあと施工アンカーを例にとって従来の技術を説明する。図４は市販のあと施工アンカーを示す図であって、（ａ）は正面図、（ｂ）はＣ方向矢視図である。
【０００３】
天井壁に天井材を取り付けるあと施工アンカーとしては種々のものがあり、例えば特許文献１のように、コンクリート壁の穴内でアンカーの先端が拡開されることで固定されるものが公知である。しかし、天井壁が薄い場合や、天井壁に空洞部があるＰＣ版には、上記特許文献１のアンカーは使用できず、特殊な先端をもったアンカーが使用されることになる。
【０００４】
そのようなあと施工アンカーとしては、例えば図４（ａ），（ｂ）に示すように、アンカー本体５１と回動部材５２とピン５３からなるものが市販されている。このうちアンカー本体５１は、雄ネジが切られたボルト部５４と、そのボルト部５４の先端をフォーク状に形成したヘッド部５５とからなっている。また回動部材５２は長方形の板であって、この回動部材５２が長手方向の中心からずれた位置を中心に重力で回動するように、上記ヘッド部５５に挟み込まれかつピン５３で軸支されている。
【０００５】
そして、アンカー本体５１を直立させるとともに回動部材５２をも直立させた状態で、アンカー本体５１が図示しない天井壁の穴内に挿入されると、ヘッド部５５が天井壁の穴を突き抜けたときに、このヘッド部５５に対して回動部材５２が図中のＳ方向に回動する。この状態でアンカー本体５１を下向きに引っ張ると、回動部材５２は天井壁の裏面に沿って横向き（５２’）になる。したがって、アンカー本体５１は天井壁の穴から下方に抜け出さなくなり、アンカー全体が天井壁に吊下状態となって設定される。その後、アンカー本体５１のボルト部５４によって天井材が上記天井壁の下方に取り付けられる。
【特許文献１】特開２００２−３０３３１２号公報
【発明の開示】
【発明が解決しようとする課題】
【０００６】
ところが、従来のアンカーでは、回動部材がアンカー本体に対して一切拘束されず自由に回動し得る状態にあるため、回動部材が天井壁の穴を通過する前に天井壁等に当たって回動してしまい、アンカー本体５１に対し直交する姿勢となって穴に挿入できない事態が生じる。
【０００７】
このため、何度もやり直しをしたり、手で回動部材の回動を抑えた状態で穴に差し込む手法をとったりしなければならなかった。
【０００８】
しかも、このような作業は、暗くて足場の悪い場所で高位置に対し行わなければならないため、いずれの場合も施工能率が極めて悪かった。
【０００９】
そこで本発明は、穴を通過するまでの回動部材の回動を抑えて能率よく施工することのできるあと施工アンカーを提供するものである。
【課題を解決するための手段】
【００１０】
本発明は、構造壁に挿通されて所定位置に設定されるあと施工アンカーであって、アンカー本体と、アンカー本体の先端部に一方向に回動する力が付勢された状態で取り付けられた回動部材と、アンカー本体の先端部が所定位置に設定されるまでは回動部材の回動を抑制し、アンカー本体の先端部が所定位置に設定されるとこの抑制を解除する回動抑制手段とを備えたことを特徴とするものである。
【００１１】
請求項２記載の発明のように、回動部材は、アンカー本体の先端部に重心をずらして軸支されることにより、一方向の回動力を付与されたこととしてもよい。
【００１２】
請求項３記載の発明のように、アンカー本体の先端部にコイルバネが嵌挿されるとともに、アンカー本体にこのコイルバネの基端側を受けるバネ受け部が設けられて回動抑制手段が構成され、回動部材の一端が上記コイルバネに保持されることによって回動部材の回動が抑制され、コイルバネの先端側が構造壁に当接してコイルバネが縮小することにより回動部材の抑制が解かれるように構成されたこととしてもよい。
【００１３】
請求項４記載の発明のように、コイルバネは、先端側の径が構造壁の挿通孔よりも大径となるように先端部が先広がりのテーパ状に形成されたこととしてもよい。
【００１４】
請求項５記載の発明のように、コイルバネの先端に、構造壁の挿通孔よりも大径のワッシャが設けられたこととしてもよい。
【発明の効果】
【００１５】
本発明によれば、アンカー本体と、アンカー本体の先端部に一方向に回動する力が付勢された状態で取り付けられた回動部材と、アンカー本体が所定位置に設定されるまでは回動部材の回動を抑制し、所定位置に設定されるとこの抑制を解除する回動抑制手段とが備えられたので、構造壁例えば天井壁の穴に挿入する前にアンカー本体を直立させるとともに回動部材をも直立させた状態を維持することができる。そのため、回動部材が勝手に回動することがなくなり、何度も作業をやり直したり、回動部材に手を添えて作業したりする必要がなくなり、そのような作業を特に暗くて足場の悪い場所で高位置に対して行わなければならなかった従来技術に比べて施工能率を大幅に向上させることができる。また、天井材の吊りボルトの先端に本発明のアンカーを取り付けた状態で、この吊りボルトを押し上げてアンカーを天井壁の穴に押し込むといった施工法を採用することにより、施工能率をさらに向上させることができる。
【００１６】
請求項２記載の発明によれば、回動部材は、アンカー本体の先端部に重心をずらして軸支されることにより、一方向の回動力を付与されたので、簡単な構成であるにもかかわらず、回動部材がアンカー本体の先端部を中心として一方向に重力で確実に回動するようになる。
【００１７】
請求項３記載の発明によれば、アンカー本体の先端部にコイルバネが嵌挿されるとともに、アンカー本体にこのコイルバネの基端側を受けるバネ受け部が設けられて回動抑制手段が構成され、回動部材の一端が上記コイルバネに保持されることによって回動部材の回動が抑制され、コイルバネの先端側が構造壁に当接してコイルバネが縮小することにより回動部材の抑制が解かれるように構成されたので、例えば天井壁の穴に挿入する前にはアンカー本体を直立させるとともに回動部材を直立させた状態を確実に維持することができる。
【００１８】
請求項４記載の発明によれば、コイルバネは、先端側の径が構造壁の挿通孔よりも大径となるように先端部が先広がりのテーパ状に形成されたので、アンカー本体が例えば天井壁に挿入された後にはコイルバネの先端が天井壁の下側に弾力的に当接した状態となり、確実な固定が行えるようになる。しかも、その固定部で地震時の揺れを吸収するいわゆる免振構造が得られるようになる。
【００１９】
請求項５記載の発明によれば、コイルバネの先端に、構造壁の挿通孔よりも大径のワッシャが設けられたので、アンカー本体が例えば天井壁に挿入された後にはコイルバネの先端が天井壁の下側に弾力的に当接した状態となり、確実な固定が行えるようになる。しかも、その固定部で地震時の揺れを吸収するいわゆる免振構造が得られるようになる。
【発明を実施するための最良の形態】
【００２０】
図１は本発明の一実施形態にかかるあと施工アンカーの一部断面を含む正面図、図２はその分解斜視図である。
【００２１】
図１，図２に示すように、本あと施工アンカー１は、アンカー本体５と、回動部材２と、ボルト４と、回動抑制手段としてのコイルバネ８と、水平ピン３とを備えてなっている。
【００２２】
このうち、アンカー本体５は、例えば金属丸棒から切削加工したもので、その基端側にはコイルバネ８を支持するための鍔部（バネ受け部）６を設けるとともに、この鍔部６の内側にはボルト４をねじ込むための雌ネジ部７を形成している。このアンカー本体５の先端側には所定幅の平行面１０を形成するとともに、この平面面１０に水平ピン３を挿通するためのピン孔１０ａを設けている。
【００２３】
回動部材２は、例えば長方形の金属板を上記所定幅を残してその左右両端をコの字状に屈曲させることにより曲げ強度を持たせており、両屈曲部の長手方向中央からずらした位置（例えば図１中のＬ１：Ｌ２＝３：７としている。）に水平ピン３を挿通するためのピン孔９ａを設けたブラケット９が形成されている。
【００２４】
コイルバネ８は、その中央部よりも先端と基端の巻き半径が大きく設定され、全体で鼓状をなしている。この形状は、コイルバネ８がアンカー本体５に装着されたときにガタツキが生じないようにするとともに、特にコイルバネ８の先端が後述する天井壁の挿通孔に入らないようにして、両端での支持が確実に行われるようにしたものである（図３参照）。なお、必要に応じてコイルバネ８の先端にワッシャを設けてもよく、その場合のワッシャはコイルバネ８の先端に係止できるものが好ましい。
【００２５】
そして、図２に示すように、アンカー本体５にコイルバネ８を挿通してその鍔部６で支持するとともに、そのコイルバネ８を圧縮した状態で、回動部材２のブラケット９をアンカー本体５の平行面１０に嵌め込む。両ピン孔９ａ，１０ａが一致するまで嵌め込むと、そこに水平ピン３を挿通し、その水平ピン３の突出部を圧潰して抜け止め加工する。アンカー本体５の雌ネジ部７にボルト４をねじ込んだ後、回動部材２の長尺側を上側にして、その反対側がコイルバネ８の先端内に収まるようにすると、アンカー単体での組み立てが終了する。
【００２６】
以下、本あと施工アンカーの使用方法を説明する。図３は天井壁にあと施工アンカーを装着する手順を示す説明図である。
【００２７】
まず、図３（ａ）に示すように、上記組み立て終了後のあと施工アンカー１を、例えばスパンクリート（商品名）を用いた天井壁Ａに穿設された挿通孔Ａ１に向けて、図中のＰ方向に押し上げる。このとき、回動部材２はコイルバネ８の先端でアンカー本体５に固定されているので、回動しない。したがって、やり直しや回動部材２を手で支持する必要がなくなり、たとえ天井壁Ａが高い場合でも、作業が容易となる。
【００２８】
ついで、図３（ｂ）に示すように、あと施工アンカー１を天井壁Ａの挿通孔Ａ１に挿入するが、やがて挿通孔Ａ１の周囲の壁面（下面）にコイルバネ８の先端が当接するようになる。その後もコイルバネ８の弾性付勢力に抗してあと施工アンカー１を押し上げると、コイルバネ８の先端を上記壁面の下側に残したまま、回動部材２全体が上記挿通孔Ａ１に沿って反対側の壁面（上面）に突出するようになる。すると、回動部材２の回動が抑制されなくなるので、重力の作用により回動部材２は図中のＱ方向に回動し、上記壁面（上面）に当接して停止する。このとき回動部材２’の状態となる。
【００２９】
ついで、あと施工アンカー１の押し上げ力をなくすと、図３（ｃ）に示すように、あと施工アンカー１は、その軸心方向にかかるコイルバネ８の弾性付勢力と重力との作用によって下側（Ｒ方向）に押し下げられる。すると、回動部材２はほぼ水平状態となって壁面にその下側が全面的に当接するようになるので、それ以上は下がらない。このとき、コイルバネ８の弾性付勢力が作用しているので、その力によってあと施工アンカー１は天井壁Ａに弾性的に固定される。
【００３０】
しかる後、図３（ｄ）に示すように、天井材Ｂの挿通孔Ｂ１にボルト４を挿通させ、その突出した部分をナット１１で止めることにより、天井材Ｂは天井壁Ａから吊り下げられるようになる。
【００３１】
本あと施工アンカー１では、アンカー本体５と、アンカー本体５の先端部に一方向に回動する力が付勢された状態で取り付けられた回動部材２と、アンカー本体５が所定位置に設定されるまでは回動部材２の回動を抑制し、所定位置に設定されるとこの抑制を解除するコイルバネ８とが備えられたので、天井壁Ａに挿入する前にアンカー本体５を直立させるとともに回動部材２を直立させた状態を維持することができる。そのため、やり直し作業や回動部材５２が勝手に回動することがないように回動部材５２に手を添えて作業する必要がなくなり、特に高い天井壁等でそのような作業を多数のあと施工アンカー１について行わなければならなかった従来技術に比べて施工能率を大幅に向上させることができる。
【００３２】
さらに、このあと施工アンカー１では、アンカー全体が天井壁Ａにコイルバネ８で弾性付勢された状態で固定されるため、天井壁Ａに天井材Ｂを施工した後にその天井材Ｂが地震によって大きく振動して落下するおそれがなくなる。
【００３３】
なお、本発明は、上記した天井用アンカーに限らず、たとえば、コンクリート型枠を保持するためのセパレータボルトをコンクリート側壁面に取り付けるためのあと施工アンカー、各種設備を側壁や床壁に取り付けるためのあと施工アンカー等、各種あと施工アンカーに適用することができる。
【００３４】
また、本発明は、回動部材２の形状を限定するものではなく、例えばアンカー本体の先端をフォーク状にして、その中に板状の回動部材２を挟み込んで重力で一方向に回動できるようにしてもよい。また、回動部材２に別途バネを設けてその弾性付勢力で一方向に回動できるようにしてもよい。その場合には側壁等への適用が容易となる。
【００３５】
また、本発明は、アンカー本体５を基端側で鍔部６や雌ネジ部７と一体形成し、先端側で平行面１０と一体形成することに限らず、例えばそれらの一部または全部をアンカー本体とは別個に成形しておき、それらの部品を組み立て段階でアンカー本体に溶接等してもよい。そのようにして、さらなるコストダウンを図ることもできる。
【００３６】
また、本発明は、あと施工アンカー１の施工法を限定するものではなく、例えば天井材Ｂの吊りボルト４の先端に本あと施工アンカー１を取り付けた状態で、この吊りボルト４を押し上げてあと施工アンカー１を天井壁Ａの挿通孔Ａ１に押し込むといった施工法を採用することにより、施工能率をさらに向上させることもできる。
【図面の簡単な説明】
【００３７】
【図１】本発明の一実施形態にかかるあと施工アンカーの一部断面を含む正面図である。
【図２】上記実施形態のあと施工アンカーの分解斜視図である。
【図３】上記実施形態のあと施工アンカーの使用状態を示す説明図である。
【図４】従来のあと施工アンカーの一例を示す図であって、（ａ）は正面図、（ｂ）はＣ方向矢視図である。
【符号の説明】
【００３８】
１  あと施工アンカー
２  回動部材
３  水平ピン
４  ボルト
５  アンカー本体
６  鍔部
７  雌ネジ部
８  コイルバネ（回動抑制手段）
Ａ  天井壁（構造壁）
Ａ１  挿通孔
Ｂ  天井材
Ｂ１  挿通孔
【図１】
2005273741.tif 000003
【図２】
2005273741.tif 000004
【図３】
2005273741.tif 000005
【図４】
2005273741.tif 000006